(57)【特許請求の範囲】
【請求項１】
手摺壁と、該手摺壁に目地を介して隣接する建物との対向する側端面間に配設されるか、又は、目地を介して隣接する手摺壁の対向する側端面間に配設されるものであって、
一側縁を取付け縁とし、該取付け縁に対向する他側縁に挿通口を備え、内部に該挿通口と連通する収納部が形成され、その厚み及び高さが手摺壁の厚み及び高さと略同一寸法になるよう設定された矩形筺体状の固定カバー体と、
該固定カバー体の収納部内に位置する部位に左右方向の長孔が形成され、該長孔に、固定カバー体内に設けられたガイド杆が挿通されて、固定カバー体の収納部内に一側縁部が進退可能に収納され、他側縁部が前記挿通口から突出された矩形の可動カバー体とを備えてなり、挿通口と可動カバー体の隙間にはパッキンが介装され、
さらに挿通口から突出された可動カバー体の他側縁部の端縁には、係止片が固着され、該係止片は、対向する手摺壁又は建物の側端面に配設されるホルダーに係合されて、手摺壁の長手方向に直交する方向に沿って摺動可能に係止されるものであることを特徴とする手摺壁用目地カバー装置。
【発明の詳細な説明】
【０００１】
【発明の属する技術分野】
本発明は、目地を介して隣接する建物にあって、少なくとも一方に手摺壁が形成されている建物の、その手摺壁部分に適用される目地カバー装置に関する。
【０００２】
【従来の技術】
手摺壁部分に適用される目地カバー装置としては、図９に示すように、前板ａ及び後板ｂと、該前板ａと後板ｂの上端を繋ぐ天板ｃとによってコ字形に形成したカバー板ｄを、目地を介して隣接する左右の手摺壁ｅ，ｅに差し渡すとともに、該カバー板ｄの一側縁を手摺壁ｅ，ｅのいずれか一方に固定することにより、手摺壁ｅ，ｅ間の目地を覆うようにしたものが一般的である。
【０００３】
【発明が解決しようとする課題】
上記のような従来の目地カバー装置にあっては、カバー板ｄが手摺壁ｅ，ｅの端部の前面，後面及び上面に夫々密接するように、カバー板ｄを手摺壁ｅ，ｅの断面形状に一致させて製作する必要がある。このため、手摺壁ｅ，ｅの各箇所を現場において正確に実測し、これに基づいて前板ａ，後板ｂ及び天板ｃを成形加工しなければならず、その製作が面倒であるという問題点があった。
【０００４】
また、カバー板ｄは、手摺壁ｅ，ｅの左右方向の相対変位には追従するが、前後方向の相対変位に対する追従性が全くない。このため、手摺壁ｅ，ｅが地震等によって前後方向に相対変位するとカバー板ｄ及び該カバー板ｄの取り付け部の手摺壁ｅに破損が生じるという問題点があった。
【０００５】
本発明は、かかる従来の問題点を解消し得る手摺壁用目地カバー装置の提供を目的とするものである。
【０００６】
【課題を解決するための手段】
本発明は、手摺壁と、該手摺壁に目地を介して隣接する建物との対向する側端面間に配設されるか、又は、目地を介して隣接する手摺壁の対向する側端面間に配設されるものであって
一側縁を取付け縁とし、該取付け縁に対向する他側縁に挿通口を備え、内部に該挿通口と連通する収納部が形成され、その厚み及び高さが手摺壁の厚み及び高さと略同一寸法になるよう設定された矩形筺体状の固定カバー体と、
該固定カバー体の収納部内に位置する部位に左右方向の長孔が形成され、該長孔に、固定カバー体内に設けられたガイド杆が挿通されて、固定カバー体の収納部内に一側縁部が進退可能に収納され、他側縁部が前記挿通口から突出された矩形の可動カバー体とを備えてなり、挿通口と可動カバー体の隙間にはパッキンが介装され、
さらに挿通口から突出された可動カバー体の他側縁部の端縁には、係止片が固着され、該係止片は、対向する手摺壁又は建物の側端面に配設されるホルダーに係合されて、手摺壁の長手方向に直交する方向に沿って摺動可能に係止されるものであることを特徴とする手摺壁用目地カバー装置である。
【０００７】
かかる構成にあって、固定カバー体の収納部に一側縁部が収納されている可動カバー体が進退可能であるため、目地を介して隣接する手摺壁と建物、又は目地を介して隣接する手摺壁相互の左右方向（離近方向）の相対変位に追従し、また、固定カバー体から突出された可動カバー体の突出縁が、隣接する他方の建物、又は手摺壁に対して、前後方向（手摺壁の長手方向に直交する方向）に摺動可能に係止されていることにより、手摺壁と建物、又は手摺壁相互の前後方向の相対変位にも追従させることができる。
【０００８】
また、独立した製品であるため、従来のような現場における手摺壁の正確な実測、及びこれに基づく成形加工等の面倒な製作作業が不要となる。
【０００９】
【発明の実施の形態】
本発明の一実施例を、図１〜図７について説明する。
【００１０】
図面は、本発明に係る手摺壁用目地カバー装置１を、隣接する建物間に差し渡された渡り廊下ｙの手摺壁７に適用した場合を示すものである。ここで、一方の建物ｘには、図１に示すように、その側端面から支持受縁２が水平状に突成されており、該支持受縁２上に、他方の建物（図示省略）から差し渡された渡り廊下ｙの先端部が支持部材３を介して支持されている。該支持部材３は、その上面にベアリングボール等からなる滑性面を備え、支持受縁２にその下部が固定されており、該支持部材３上に前記渡り廊下ｙの先端部を乗載することにより、該渡り廊下ｙを水平方向に揺動可能としている。また、該渡り廊下ｙの先端部と、建物ｘと間には目地ｓとしての所定幅の間隙が設けられている。
【００１１】
また、建物ｘ内には、図２に示すように、渡り廊下ｙに連続する通路４が形成されており、この通路４と渡り廊下ｙの床面５間の目地ｓは、少なくとも左右及び前後方向の相対変位に追従し得る公知構造の床用目地カバー装置６によって遮蔽されている。
【００１２】
前記渡り廊下ｙの幅方向の両端縁には、その長手方向に沿って所定高さの手摺壁７，７が立設されており、該手摺壁７，７の、前記建物ｘに目地ｓを介して隣接する側端面７ａ，７ａに、本発明に係る手摺壁用目地カバー装置１，１が夫々配設されている。
【００１３】
この手摺壁用目地カバー装置１は、矩形筺体状の固定カバー体８と、該固定カバー体８内に一側縁部が進退可能に収納された矩形の可動カバー体９とからなる。前記固定カバー体８は、断面コ字形のチャンネル杆を用いて矩形枠状に形成した基体フレーム１０を備え、その内部を可動カバー体９の収納部１５としている。該基体フレーム１０の前後両面には、適宜の厚みを有する前面パネル１１ａ及び後面パネル１１ｂが夫々あてがわれ、該パネル１１ａ，１１ｂの周縁を基体フレーム１０に螺子止めすることにより、基体フレーム１０の前後の開口部１０ａ，１０ｂを遮蔽するようにしている。また、基体フレーム１０の上面及び左右方向の一側面にも、適宜の厚みを有する上部パネル１１ｃ及び側部パネル１１ｄが、上記と同様に周縁を夫々螺子止めすることにより固定されている。このように構成される固定カバー体８は、その厚み及び高さが手摺壁７の厚み及び高さと略同一寸法になるように設定されており、予め大きさの異なる数種類の製品を用意して適応するものを用いるようにしている。これにより、固定カバー体８を手摺壁７に取付けた状態にあって、図１に示すように、該固定カバー体８が手摺壁７の一部を構成するものとなり、外的美観にも優れたものとなる。
【００１４】
また、基体フレーム１０には、図３に示すように、前記側部パネル１１ｄの取付け縁に対向する一側縁に、複数の透孔１２が上下方向に所定間隔で穿設されており、この一側縁を手摺壁７に対する固定カバー体８の取付け縁１３としている。また、基体フレーム１０の下側縁にも複数の透孔１４が左右方向に所定間隔で穿設されている。
【００１５】
さらに、固定カバー体８の側部パネル１１ｄには上下方向に長い挿通口１６が形成されるとともに、該側部パネル１１ｄに近接する基体フレーム１０の一側縁にも前記挿通口１６の形状と一致する連通路１７が形成されており、該連通路１７を介して前記挿通口１６が固定カバー体８内の収納部１５と連通されている。
【００１６】
一方、前記可動カバー体９は、外周を囲繞する矩形枠１８と、該矩形枠１８の前後両面を遮蔽する前面パネル１９ａ及び後面パネル１９ｂとからなり、該前面パネル１９ａ及び後面パネル１９ｂは、その周縁を、矩形枠１８の内周面に沿って固着された断面コ字形のフランジ２０に螺子止めすることにより固定されている。
【００１７】
該可動カバー体９は、その一側縁部９ａが固定カバー体８の収納部１５内に進退可能に収納され、他側縁部９ｂが前記連通路１７を介して固定カバー体８の挿通口１６から側方に突出されている。また、可動カバー体９の矩形枠１８の下側縁には、収納部１５内に位置するように左右方向の長孔２１が形成されており、該長孔２１に、基体フレーム１０の下側縁に立設された丸棒状のガイド杆２２が挿通されている。これにより、可動カバー体９は、ガイド杆２２に案内されて長孔２１の長さの範囲で左右方向に進退可能となり、かつ、ガイド杆２２によって固定カバー体８からの抜け止めが行われ、さらに、ガイド杆２２と挿通口１６との二点支持により、可動カバー体９の他側縁部９ｂの前後方向の揺動を防止し得るようになっている。
【００１８】
また、挿通口１６から突出された可動カバー体９の他側縁部９ｂである突出縁２３の端縁には、その上下位置から一対の支持杆２４，２４が側方に突設され、該支持杆２４，２４の先端に矩形状に形成された係止片２５，２５が固着されている。該係止片２５，２５は、建物ｘ側に配設されるホルダー２６，２６に係合されるものであって、該ホルダー２６，２６は、矩形状の取付け基板２７，２７の前面に、上下位置で対向する一対のＬ形爪片２８，２８を備えてなり、このホルダー２６，２６の各Ｌ形爪片２８，２８間に、前記係止片２５，２５を夫々嵌挿して係合することによって、可動カバー体９の突出縁２３を前後方向（手摺壁７の長手方向に直交する方向）に摺動可能に係止するようにしている。また該ホルダー２６，２６の取付け基板２７，２７には、その四隅位置に透孔２７ａが夫々穿設されている。
【００１９】
かかる構成からなる手摺壁用目地カバー装置１を施工するには、固定カバー体８の取付け縁１３に穿設された複数の透孔１２の上下間隔に一致させて、手摺壁７の、建物ｘに対向する側端面７ａに、ドリル等の工具を用いて孔を開けてアンカーボルト２９を植設し、該アンカーボルト２９を取付け縁１３の透孔１２に挿通してナット３０で緊締することにより、図５に示すように、基体フレーム１０を手摺壁７の側端面７ａに固定する。
【００２０】
ここで、前面パネル１１ａ及び後面パネル１１ｂと、上部パネル１１ｃ及び側部パネル１１ｄは、螺子固定されるものであり、基体フレーム１０から分離可能であるため、上記基体フレーム１０の取付け作業時に、少なくとも前面パネル１１ａ及び後面パネル１１ｂを取り外しておくと、図３に示すように、基体フレーム１０の開口部１０ａ，１０ｂが開放されるため、その取付け作業を容易に行うことができる。また、基体フレーム１０の下側縁も、前記と同様に渡り廊下ｙの床面５に植設したアンカーボルト２９を透孔１４に挿通してナット３０で緊締することにより、図６に示すように、渡り廊下ｙの床面５に固定することができる。このように、基体フレーム１０の下側縁も固定すれば、基体フレーム１０の固定をさらに強固なものとすることができる。
【００２１】
一方、前記手摺壁７の側端面７ａに対向する建物ｘの側端面３１には、ホルダー２６，２６を取付ける所定位置に、上記と同様にドリル等の工具を用いて孔を開けて、固定ボルト３２を螺合するための複数のアンカープラグ３３を埋設し、可動カバー体９の係止片２５，２５にホルダー２６，２６の各Ｌ形爪片２８，２８を側方から係合した状態で、該ホルダー２６，２６の取付け基板２７，２７の各透孔２７ａに前記固定ボルト３２を夫々挿通してアンカープラグ３３に緊締状に螺着させることにより、図４，図５に示すように、各ホルダー２６を建物ｘの側端面３１に固定する。
【００２２】
上記のように、固定カバー体８の取付け縁１３を手摺壁７の側端面７ａに固定し、可動カバー体９の突出縁２３を、ホルダー２６，２６を介して建物ｘの側端面３１に係止した後、前面パネル１１ａ及び後面パネル１１ｂと、上部パネル１１ｃ及び側部パネル１１ｄを、基体フレーム１０に螺子止めして固定する。そして、この螺子止め部の各パネル１１ａ，１１ｂ，１１ｃ，１１ｄ間等に生じる凹部をシーリング材３４で遮蔽するとともに、側部パネル１１ｄの挿通口１６と可動カバー体９との隙間にパッキン３５を介装して遮蔽する。これにより、施工が完了する。
【００２３】
かかる構成からなる手摺壁用目地カバー装置１にあって、地震や暴風等によって渡り廊下ｙの手摺壁７と建物ｘとが左右方向（離近方向）に相対変位すると、固定カバー体８と可動カバー体９とが相対的に左右方向に摺動して、その相対変位に追従する。また、渡り廊下ｙの手摺壁７と建物ｘとが目地ｓに沿って前後方向（手摺壁７の長手方向に直交する方向）に相対変位した場合には、可動カバー体９の突出縁２３に設けられた係止片２５，２５が、建物ｘに固定されたホルダー２６，２６の各Ｌ形爪片２８，２８間を相対的に前後方向に摺動して、その相対変位に追従する。これにより、目地カバー装置１は手摺壁７と建物ｘとの、左右方向及び前後方向の各相対変位に無理なく追従し、手摺壁７と建物ｘ間の目地ｓを覆い得ることとなる。
【００２４】
また、図１に示すように、固定カバー体８を手摺壁７の側端面７ａに取付けた状態において、その取付け縁１３に対向する側部パネル１１ｄ側の端縁が渡り廊下ｙの端縁と一致するように、手摺壁７を固定カバー体８の左右の長さ分だけ短く形成しておくことにより、固定カバー体８が違和感なく手摺壁７の一部として納まり、優れた美観が得られる。
【００２５】
図８は、上述の手摺壁用目地カバー装置１の他の使用態様を示すものであって一方の建物ｘの外側縁に沿って手摺壁７’が形成されており、該手摺壁７’が渡り廊下ｙの手摺壁７と目地ｓを介して隣接している。この手摺壁７’は、渡り廊下ｙの手摺壁７とその厚み及び高さが略同一寸法になるように設定されており、この左右の手摺壁７，７’の対向する側端面間に上述の手摺壁用目地カバー装置１が配設されている。即ち、該目地カバー装置１を構成する固定カバー体８の取付け縁１３が手摺壁７の側端面７ａに固定される一方、上述のホルダー２６，２６が手摺壁７’の側端面７ｄに固定され、該ホルダー２６，２６を介して可動カバー体９の突出縁２３が手摺壁７’に対して前後方向に摺動可能に係止されている。これにより、目地ｓを介して隣接する左右の手摺壁７，７’の左右方向及び前後方向の相対変位に対して、前記実施例と同様に目地カバー装置１が追従し得るようになっている。
【００２６】
尚、上記各実施例にあっては、手摺壁７の側端面７ａに固定カバー体８の取付け縁１３を固定し、建物ｘの側端面３１もしくは建物ｘの手摺壁７’の側端面７ｄに可動カバー体９の突出縁２３を係止するようにしているが、この配置関係を逆にして取付けることも可能である。
【００２７】
【発明の効果】
本発明は上述のように、内部に収納部１５を備えた矩形筺体状の固定カバー体８の一側縁を取付け縁１３とし、該取付け縁１３に対向する他側縁に前記収納部１５と連通する挿通口１６を設け、矩形の可動カバー体９の一側縁部９ａを前記収納部１５内に進退可能に収納し、該可動カバー体９の他側縁部９ｂを前記挿通口１６から突出させて、目地ｓを介して隣接する手摺壁７と建物ｘの対向する側端面７ａ，３１、又は、目地ｓを介して隣接する左右の手摺壁７，７’の対向する側端面７ａ，７ｄのいずれか一方に、固定カバー体８の取付け縁１３を固定し、他方に、可動カバー体９の突出縁２３を前後方向に摺動可能に係止するようにしたから、手摺壁７と建物ｘ、又は、手摺壁７，７’相互の左右方向の相対変位に追従し得るとともに、前後方向の相対変位にも追従させることができる。
【００２８】
また、独立した製品であるため、従来のような現場における手摺壁の正確な実測、及びこれに基づく成形加工等の面倒な製作作業が不要であり、さらに、固定カバー体８が手摺壁７の一部を構成し得るので、美観が良い等の優れた効果がある。
【図面の簡単な説明】
【図１】本発明に係る手摺壁用目地カバー装置の施工状態の縦断正面図である。
【図２】同上の平面図である。
【図３】本発明に係る手摺壁用目地カバー装置の分解斜視図である。
【図４】同上の上半部を省略した正面図である。
【図５】同上の横断平面図である。
【図６】同上の縦断側面図である。
【図７】同上の可動カバー体部分を縦断面で示した側面図である。
【図８】他の使用態様を示す手摺壁用目地カバー装置の施工状態の平面図である。
【図９】従来構成の手摺壁用目地カバー装置の概略斜視図である。
【符号の説明】
ｓ  目地
ｘ  建物
１  手摺壁用目地カバー装置
７  手摺壁
７’手摺壁
７ａ  側端面
７ｄ  側端面
８  固定カバー体
９  可動カバー体
１３  取付け縁
１５  収納部
１６  挿通口
２３  突出縁
３１  側端面
【図１】
0003872869.tif 000002
【図２】
0003872869.tif 000003
【図３】
0003872869.tif 000004
【図４】
0003872869.tif 000005
【図５】
0003872869.tif 000006
【図６】
0003872869.tif 000007
【図７】
0003872869.tif 000008
【図８】
0003872869.tif 000009
【図９】
0003872869.tif 000010